(57)【要約】【目的】  スピンドルモータの回転によらずに、簡単な手段によって効率的な冷却動作を行えるようにする。【構成】  スピンドルモータ４、光ピックアップ５、および冷却ファン７を制御するコントローラ６の制御部８が、装置内部の温度上昇と重大な因果関係にある光ピックアップ５内の半導体レーザの発光パワーＰＬに応じて冷却ファン７の冷却動作量を制御する。具体的には、制御部８が光ピックアップ５から検出される半導体レーザ素子の発光パワーＰＬの増加に応じて冷却ファン７の回転数を増加させるよう制御するか、発光パワーＰＬが予め設定された値を超えたときに冷却ファン７を動作させるように制御する。【選択図】        図２
2005093023.tif 000002
【特許請求の範囲】
【請求項１】
光ディスクに対して情報の記録再生をするためのレーザ素子とレーザ光を集光する対物レンズを備えた光ピックアップと、該光ピックアップを前記光ディスクの半径方向に移動させる駆動手段と、前記光ディスクを回転させる回転手段と、装置内部を冷却するための冷却手段とを有する光ディスク記録再生装置において、前記レーザ素子の発光パワーに応じて前記冷却手段の冷却動作量を制御する制御手段を設けたことを特徴とする光ディスク記録再生装置。
【請求項２】
請求項１記載の光ディスク記録再生装置において、前記制御手段は、前記レーザ素子の発光パワーが予め設定された値を超えたときに前記冷却手段を動作させることを特徴とする光ディスク記録再生装置。
【請求項３】
光ディスクに対して情報の記録再生をするためのレーザ素子とレーザ光を集光する対物レンズを備えた光ピックアップと、該光ピックアップを前記光ディスクの半径方向に移動させる駆動手段と、前記光ディスクを回転させる回転手段と、装置内部を冷却するための冷却手段とを有する光ディスク記録再生装置において、前記レーザ素子に流す電流に応じて前記冷却手段の冷却動作量を制御する制御手段を設けたことを特徴とする光ディスク記録再生装置。
【請求項４】
請求項３記載の光ディスク記録再生装置において、前記制御手段は、前記レーザ素子に流す電流が予め設定された値を超えたときに前記冷却手段を動作させることを特徴とする光ディスク記録再生装置。
【請求項５】
光ディスクに対して情報の記録再生をするためのレーザ素子とレーザ光を集光する対物レンズを備えた光ピックアップと、該光ピックアップを前記光ディスクの半径方向に移動させる駆動手段と、前記光ディスクを回転させる回転手段と、装置内部を冷却するための冷却手段とを有する光ディスク記録再生装置において、前記レーザ素子の発光効率に応じて前記冷却手段の冷却動作量を制御する制御手段を設けたことを特徴とする光ディスク記録再生装置。
【請求項６】
請求項５記載の光ディスク記録再生装置において、前記制御手段は、前記レーザ素子の発光効率が予め設定された値に達しないときに前記冷却手段を動作させることを特徴とする光ディスク記録再生装置。
【請求項７】
請求項１乃至６のいずれか一項に記載の光ディスク記録再生装置において、前記制御手段は、前記光ピックアップによって前記光ディスクへ記録動作を行うときにのみ前記冷却手段を動作可能にすることを特徴とする光ディスク記録再生装置。
【発明の詳細な説明】
【技術分野】
【０００１】
この発明は、光ディスクに情報を記録したり、そこに記録されている情報を再生する光ディスク記録再生装置に関し、特に装置内部の温度上昇を抑える冷却手段を備えた光ディスク装置に関する。
【背景技術】
【０００２】
従来、光ディスク記録再生装置に冷却手段として冷却ファンを搭載したものがあり、その冷却ファンの制御方法として、光ディスクを回転駆動させるスピンドルモータの回転を利用して冷却ファンの回転を制御する方法が提案されている（例えば、特許文献１参照）。
【０００３】
これにより、いわゆるスリープモード等のように装置の冷却を必要としない状態においてはスピンドルモータの回転停止に関連して冷却ファンを止め、記録又は再生動作中は、光ディスクの回転数が増加した時にはそれに応じて冷却ファンの回転も速めて、効率的に冷却することが可能になる。
【特許文献１】特許第２９８８４７１号公報
【発明の開示】
【発明が解決しようとする課題】
【０００４】
しかしながら、たとえばＣＤとＤＶＤのように異なる光ディスクを同じ装置で扱うことのできる光ディスク記録再生装置においては、冷却が必要な状況とスピンドルモータの回転数との対応が必ずしも一致しない。そのため、スピンドルモータの回転のみによって冷却ファンを制御する上記従来技術では不要な冷却動作を行ったり、必要な冷却動作が得られない場合があり、必ずしも効率よく冷却動作が行われないという問題があった。
【０００５】
この発明は上記の問題を解決するためになされたものであり、スピンドルモータの回転によらずに、簡単な手段でより効率的な冷却動作を行えるようにすることを目的とする。
【課題を解決するための手段】
【０００６】
この発明は上記の目的を達成するため、光ディスクに対して情報の記録再生をするためのレーザ素子とレーザ光を集光する対物レンズを備えた光ピックアップと、その光ピックアップを上記光ディスクの半径方向に移動させる駆動手段と、上記光ディスクを回転させる回転手段と、装置内部を冷却するための冷却手段とを有する光ディスク記録再生装置において、次のような制御手段を設けたものである。
【０００７】
すなわち、上記レーザ素子の発光パワーに応じて上記冷却手段の冷却動作量を制御する制御手段を設ける。その制御手段は、上記レーザ素子の発光パワーが予め設定された値を超えたきに上記冷却手段を動作させるとよい。
あるいは、上記制御手段に代えて、上記レーザ素子に流す電流値に応じて上記冷却手段の冷却動作量を制御する制御手段を設けてもよい。その制御手段は、上記レーザ素子に流す電流値が予め設定された値を超えたときに上記冷却手段を動作させるとよい。
【０００８】
あるいはまた、上記制御手段に代えて、上記レーザ素子の発光効率に応じて上記冷却手段の冷却動作量を制御する制御手段を設けてもよい。その制御手段は、上記レーザ素子の発光効率が予め設定された値に達しないときに上記冷却手段を動作させるとよい。
さらに、これらの光ディスク記録再生装置において、上記各制御手段は、上記光ピックアップによって上記光ディスクへ記録動作を行うときにのみ上記冷却手段を動作可能にするようにしてもよい。
【発明の効果】
【０００９】
この発明による光ディスク記録再生装置は、装置内部の温度上昇による弊害と特に重大な因果関係にあるレーザ素子の発光パワー、レーザ素子に流す電流値、あるいはレーザ素子の発光効率に応じて冷却手段の冷却動作量を制御するので、無駄な消費電力を抑えてより効率的な冷却動作を行うことができる。さらに、光ピックアップによる光ディスクへの記録動作を行うときにのみ上記冷却手段の動作を可能にして、上記冷却動作量の制御を行なうこにようにすれば、特にレーザ素子の温度が上昇しやすい記録時にのみ冷却機能が効果的に働き、その結果安定した光ディスクへの情報の記録が可能になる。
【発明を実施するための最良の形態】
【００１０】
以下、この発明を実施するための最良の形態を図面に基づいて具体的に説明する。
〔第１実施例〕
図１は、この発明の第１実施例である光ディスク記録再生装置の内部構成を示す概略構成図であり、図２はその光ディスク記録再生装置の構成をコントローラの内部構成とともに示すブロック図、図３はその光ピックアップの構成を示す光路図である。
【００１１】
この光ディスク記録再生装置１は、記録媒体であるＣＤ−ＲやＤＶＤ−Ｒ等の光ディスク２に対する情報の記録再生を行うものであり、図１に示すように装置全体はケーシング３に収容されていて、オートローディング及びオートエジェクト機能（公知なので図示と詳細な説明は省略する）により光ディスク２の取り込み及び取り出しが行えるようになっている。ケーシング３内部にはスピンドルモータ４、光ピックアップ５、コントローラ６及び冷却ファン７を備えている。
【００１２】
ケーシング３内に取り込まれた光ディスク２は、回転手段であるスピンドルモータ４によって回転駆動されるようになっている。その光ディスク２の記録面付近に位置する光ピックアップ５は、レーザ素子である半導体レーザ素子と、対物レンズを含む光学系と、受光素子とを内蔵し、さらにフォーカスアクチュエータ、光ピックアップ５を光ディスクの半径方向に移動させる駆動手段であるトラックアクチュエータ、およびポジションセンサを備えており、レーザ光Ｌを光ディスク２の所要のポイントに照射してその反射光を受光する。この光ピックアップ５の詳細は後述する。
【００１３】
コントローラ６はこの光ディスク記録再生装置１を制御する部分であり、基板上にＬＳＩや電子部品を搭載して構成されたものである。このコントローラ６はスピンドルモータ４、光ピックアップ５及び冷却ファン７に接続しており、それぞれに対して制御信号及び情報信号を入出力することによって、光ディスク記録再生装置１の全処理動作を制御できるようになっている。このコントローラ６の詳細も後述する。
【００１４】
ケーシング３の図１で右側壁面には、冷却手段である冷却ファン７がケーシング３の外部に連通するよう設置されており、内蔵しているモータの駆動によりファンを回転させてケーシング３内の空気を流通させることによってスピンドルモータ４、光ピックアップ５及びコントローラ６などを冷却できるようになっている。なお、この冷却ファン７は一般的に装置内部に発生した熱気を装置外部に排出するように冷却動作するものが用いられるが、これに限られずにケーシング３に通気孔を設けるとともに、外部の空気をケーシング３内へ送り込んで冷却動作するものを用いてもよい。
【００１５】
次に、この実施例のコントローラ６について説明する。図１に示した光ディスク記録再生装置１のコントローラ６は、図２に示すように制御部８、サーボ回路９、ＲＦ（高周波）信号処理部１０、記録補償部１１、および変調復調部１２を備えている。
【００１６】
制御部８は、ＣＰＵ、ＲＯＭ、ＲＡＭ等からなるマイクロコンピュータを主体として構成されており、このコントローラ６全体、ひいては光ディスク記録再生装置１全体の処理動作を統括制御する機能を有し、冷却ファン７の冷却動作量を制御する制御手段の機能も有する。サーボ回路９は、光ピックアップ５によって光ディスク２に対して情報の記録又は再生を行うときにスピンドルモータ４の回転制御と、光ピックアップ５のフォーカス及びトラッキング等のサーボ系の駆動制御を行う回路である。
【００１７】
ＲＦ信号処理部１０は、光ピックアップ５によって光ディスク２に照射したレーザ光の反射光を受光し、光電変換した信号を増幅その他の処理をして再生信号（ＲＦ信号）を生成する。記録補償部１１は、変調復調部１２から入力された記録情報信号に対して補償処理を行って、光ピックアップ５により光ディスク２上へ情報を記録する際の符号間干渉を低減する。
【００１８】
変調復調部１２は、光ディスク２に記録するために外部から入力される情報の入力信号をディスク規格に適合するように変調する処理や、ＲＦ信号処理部１０からの再生信号を外部へ出力する情報の出力信号に復調する処理を司る。
【００１９】
次に、光ピックアップ５の構成を図３によってその作用とともに説明する。図３に示す光ピックアップ５は、レーザ素子である半導体レーザ素子１５から発散光束として発光されたレーザ光がカップリングレンズ１６により平行光束に変換され、その後方に配置されたハーフミラープリズム１７を透過し、偏光ビームスプリッタ１８によって分割される。その偏光ビームスプリッタ１８を透過した光束は集光レンズ１９で集光されてパワーモニタ素子２０に入射し、ハーフミラー面１８aで反射された光束は対物レンズ２１を通って集光され、光ディスク２上にスポットで照射する。
【００２０】
このように、半導体レーザ素子１５からの入射光の光路に偏光ビームスプリッタ１８を設け、そこで分割された一部の入射光をパワーモニタ素子２０で受光して検出することにより、半導体レーザ素子１５の発光パワーＰＬを検出できるようになっている。
また、光ディスク２上のスポットからの反射光は、対物レンズ２１により再び平行光束に戻されて光軸に沿って逆行し、偏光ビームスプリッタ１８のハーフミラー面１８aおよびハーフミラープリズム１７のハーフミラー面１７aによってそれぞれ入射方向に対して９０°回転した方向へ反射されて、集光レンズ２２で集光されたのち受光素子２３に入射して検出される。
【００２１】
前述したコントローラ６は、この光ピックアップ５による光ディスク２に対する情報の記録と再生を制御すると共に、半導体レーザ素子１５の発光パワーを光ピックアップ５のパワーモニタ素子２０からの信号によって検出し、その発光パワーに応じて冷却ファン７の冷却動作量を制御する制御手段として機能する。そして、このような冷却動作量の制御は、具体的に温度上昇により生じる以下のような問題点を解決する。
【００２２】
すなわち、光ディスク記録再生装置１はその動作時において、スピンドルモータ４、コントローラ６を形成するＬＳＩ及び光ピックアップ５内の半導体レーザ素子１５が主な発熱源となってケーシング３内部の温度を上昇させることになり、ケーシング３の内部を冷却しないとその温度が上昇し続け、まずスピンドルモータ４において、コイル抵抗が増加するとともに磁石の磁束密度が低下するため推力が低下してしまうことになる。
【００２３】
また、光ピックアップ５内の光学部品は温度上昇によって形状が変形し、情報を記録再生するレーザ光の収差が増加して信号品質を悪化させてしまう。さらに、半導体レーザ素子１５は発光効率が低下して発光パワーＰＬが減少したり、レーザ光の中心波長が長い方に変動してしまう。コントローラ６のＬＳＩは熱暴走してしまうことにもなりかねない。
このように温度上昇による弊害は重大であり、装置内部を適切に冷却することは強く要求されている。
【００２４】
上述した発熱による弊害のうちで最も重要な問題となるのが、レーザ光への影響である。特に記録動作時には、光ディスク２に対して適切な大きさの発光パワーでレーザ光を照射しなければならないので、一般的な光ディスク記録再生装置では記録前および記録中に発光パワーの校正を行いながら記録動作を行うようになっている。しかし、装置内部の温度が上昇すると、半導体レーザ素子１５の発光効率が低下してしまう。
【００２５】
そのため、半導体レーザ素子１５に流す電流に対する発光パワーの関係は、図４に示すように約２５℃の常温での直線Ｌ０（その傾きが発光効率に相当する）から高温での直線Ｌ１（その傾きが発光効率に相当する）のように変化する。これにより、常温において光ディスク２への記録に必要な発光パワーをＰ０とし、それを発生させるために半導体レーザ素子１５に流す電流がＩ０だったとしたとき、高温では同じ発光パワーをＰ０を得るために必要な電流がＩ１で示すように大きく増加してしまう。
【００２６】
このように大きな電流を半導体レーザ素子１５に流した場合には、さらに高温の発熱源となって装置内部の温度を上昇させることになり、さらに発光性能が低下するため記録速度を落としたり、最終的には過剰電流が流れるのを制限するために記録動作を停止したりする必要があった。
【００２７】
また、別の重要な問題として、半導体レーザ素子１５は温度上昇によりレーザ発光の中心波長が長い方に変動してしまう特性があり、色素を利用している光ディスクでは、特に波長選択性が強いため適切な記録動作ができなくなってしまうという問題がある。
図５はレーザ光の中心波長と記録に必要な発光パワーとの関係を示す線図であり、図示のように中心波長がλ０からλ１のように伸びた場合には、記録に必要な発光パワーがＰ０からＰ１のように増加することになり、同じ発光パワーでは適切に記録できなくなってしまう。
【００２８】
このような温度上昇による弊害はスピンドルモータ４の回転数とはあまり関連性がなく、従来技術のようにスピンドルモータ４の回転数に応じて冷却手段を制御しても、不要な冷却動作を行ったり、必要な冷却動作がなされない場合がある。
そこで、この発明はスピンドルモータ４の回転によらずに、簡単な手段によって効率的な冷却動作を行えるようにするものであり、この実施例では、温度上昇と重大な因果関係にある発光パワーに応じて冷却手段の冷却動作量を制御することによりそれを実現している。
【００２９】
具体的には、図２に示したコントローラ６内の制御部８が、冷却ファン７の回転数を半導体レーザ素子１５の発光パワーＰＬに応じて制御する。好ましくは、発光パワーＰＬの増加に応じて冷却ファン７の回転数も増加させるような関数で制御すればよい。これにより無駄な消費電力を抑えてより効率的な冷却動作を行うことができる。
【００３０】
なお、この制御を簡便に行うには、発光パワーＰＬが予め設定された値であるスレッシュレベルを超えるまでは冷却ファン７を動作させず、そのスレッシュレベルを超えたときに冷却ファン７を動作させるようにしてもよい。このスレッシュレベルは、発光パワーＰＬの大きさで見て半導体レーザ素子１５が冷却を必要とする状況であると判断できる基準値であればよい。このようにして、冷却ファン７を動作させた後も、その冷却ファン７の回転数を半導体レーザ素子１５の発光パワーＰＬに応じて段階的に、あるいは無段階に制御するようにするとなおよい。
【００３１】
冷却ファン７の動作をこのように制御することは、何ら新規な部品を追加することなく、コントローラ６の制御部８の機能を追加（処理プログラムの追加）するだけで簡単に実現できる。そして、特にレーザ素子の温度が上昇し易い記録時に冷却機能が強く働き、その結果、光ディスクへの安定した記録が可能になる。また、装置の寿命のうち最も長い時間を占めることが予想される待機状態のときには冷却ファン７を停止させることができるので、無駄な電力消費を抑え、静音化を図ることもできるとともに、装置内への塵埃の侵入も防ぎ、装置寿命を延ばすことができる。
【００３２】
〔第２実施例〕
次に、この発明の第２実施例について説明する。図６はその第２実施例の光ディスク記録再生装置の構成を示す図２と同様なブロック図であり、図２と対応する部分には同一の符号を付してある。
この光ディスク記録再生装置１０１は、コントローラ６の制御部８が変調復調部１２から記録補償部１１を介して光ピックアップ５に流す電流すなわち図３に示した半導体レーザ素子１５に流す電流ＩＬを検出し、その電流ＩＬに応じて冷却ファン７の冷却動作量を制御する。なお、半導体レーザ素子１５に流す電流ＩＬは制御部８が変調復調部１２へ出力する指令信号から算出してもよい。
【００３３】
図４に示したように、半導体レーザ素子１５が高温になると発光効率（発光パワーＰＬと電流ＩＬの比）は直線Ｌ１の傾きで示すように低下し、光ディスク２への記録に必要な発光パワーＰ０を発生させるための電流がＩ１で示すように増加してしまうため、同一のパワーを維持するためにはより多くの電流ＩＬを必要とするようになる。
また、図５に示したように、半導体レーザ素子１５は温度が上昇すると中心波長が長い方へ変動するため、光ディスク２において記録に必要な発光パワーが増加してしまう。
【００３４】
一般的には、常温において図５における極小値の発光パワーＰ０で記録できるように設計されており、高温になると中心波長が伸びて例えばλ１となるため、より大きな発光パワーＰ１が必要となる。図４と図５の特性を併せ、常温と高温でのそれぞれ必要な電流を示したのが図７であり、常温において初期的に必要な発光パワーをＰ０、そのために必要電流をＩ０としている。
【００３５】
ここで、温度が上昇して必要な発光パワーがＰ０からＰ１に上昇した場合を考える。このとき半導体レーザ素子１５の発光効率が変化しない場合には直線Ｌ０上のＩ１の電流が必要であり、発光効率が直線Ｌ１の傾きに低下したときにはＩ１より大きなＩ２の電流が必要になる。このように半導体レーザ素子１５に同じ発光パワーで発光させるために流す電流は温度上昇によって大幅に増加してしまう。
【００３６】
そこで、この実施例では特に温度上昇と重大な因果関係にある半導体レーザ素子１５に流す電流ＩＬの値に応じて、冷却手段の冷却動作量を制御することにより効率的な冷却動作を行う。具体的には、コントローラ６内の制御部８が、冷却ファン７の回転数を半導体レーザ素子１５に流す電流ＩＬの値に応じて制御すればよく、好ましくは電流ＩＬの値が増加したときに冷却ファン７の回転数も増加させるような関数で制御すればよい。これにより無駄な消費電力を抑えてより効率的な冷却動作を行うことができる。
【００３７】
なお、この実施例においても制御を簡便にするために、半導体レーザ素子１５に流す電流ＩＬの値が予め設定された値であるスレッシュレベルを超えるまでは冷却ファン７を動作させず、電流ＩＬの値がスレッシュレベルを超えたときに冷却ファン７を動作させるようにしてもよい。このようにして、冷却ファン７を動作させた後も、その冷却ファン７の回転数を半導体レーザ素子１５に流す電流ＩＬの値に応じて制御するようにするとなおよい。
この第２実施例による効果も、前述した第１実施例について述べた効果と同じである。
【００３８】
〔第３実施例〕
次に、この発明の第３実施例について説明する。図８はその光ディスク記録再生装置の構成を示す図２と同様なブロック図であり、図２と対応する部分には同一の符号を付してある。
この光ディスク記録再生装置２０１は、コントローラ６の制御部８が、半導体レーザ素子１５の発光パワーＰＬを光ピックアップ５から検出するとともに、半導体レーザ素子１５に流す電流ＩＬを変調復調部１２から記録補償部１１への出力信号から検出し、その発光パワーＰＬと電流ＩＬの比（ＰＬ／ＩＬ）から半導体レーザ素子１５の発光効率を算出し、その発光効率に応じて冷却ファン７の冷却動作量を制御する。
【００３９】
図４に示したように、半導体レーザ素子１５は高温になると発光効率（直線Ｌ０、Ｌ１の傾きに相当）が低下してしまう。そこでこの実施例では、特に温度上昇と重大な因果関係にある半導体レーザ素子１５の発光効率の大きさに応じて冷却手段の冷却動作量を制御することにより、効率的な冷却動作を行うようにしたものである。
具体的には、コントローラ６内の制御部８が、冷却ファン７の回転数を半導体レーザ素子１５の発光効率に応じて制御すればよく、好ましくは発光効率が減少したときに冷却ファン７の回転数を増加させるような関数で制御すればよい。
【００４０】
なお、この実施例においては、半導体レーザ素子１５の発光効率が予め設定された値であるスレッシュレベル以上であれば冷却ファン７を動作させず、発光効率がスレッシュレベルに達しないときに冷却ファン７を動作させるようにしてもよい。このようにして、冷却ファン７を動作させた後も、その冷却ファン７の回転数を半導体レーザ素子１５の発光効率に応じて制御するようにするとなおよい。
この第３実施例による効果も、前述した第１実施例について述べた効果と同じである。
【００４１】
〔その他の実施例〕
上述した各実施例による冷却ファンの冷却動作量である回転数の制御機能に加えて、コントローラ６の制御部８に、光ピックアップ５によって光ディスク２へ情報の記録動作を行うときにのみ冷却手段である冷却ファン７の動作可能にする機能を持たせることもできる。その場合も、記録動作時に冷却ファン７を動作させたとき、前述した各実施例のように、その回転数をレーザ素子の発光パワー、レーザ素子に流す電流の値、あるいはレーザ素子の発光効率に応じて制御する。
【００４２】
ディスク記録再生装置の温度上昇によって問題が発生するのは主に記録動作時であり、その記録動作は装置寿命のうちのかなり少ない時間を占めるにすぎないと考えられる。したがって、このようにすることによって、前述の各実施例と同様な効果を得ながら、装置の更なる長寿命化と静音化に寄与する。
また、以上説明した各実施例では、冷却手段として冷却ファンを用いたが、これに限るものではなく、たとえば電子冷却素子であるペルチェ素子や、冷媒を循環させる冷却器などを冷却手段として用いてもよい。
【産業上の利用可能性】
【００４３】
この発明は、ＣＤ−ＲやＤＶＤ−Ｒなどの各種光ディスクに対して情報を記録または再生する各種光ディスク記録再生装置に適用することができる。
【図面の簡単な説明】
【００４４】
【図１】この発明の第１実施例である光ディスク記録再生装置の内部構成を示す概略構成図である。
【図２】図１に示した光ディスク記録再生装置の構成をコントローラの内部構成とともに示すブロック図である。
【図３】図１および図２に示した光ピックアップ構成を示す光路図である。
【図４】半導体レーザ素子へ流す電流と発光パワーとの関係を示す線図である。
【図５】レーザ光の中心波長と光ディスクへの記録に必要な発光パワーとの関係を示す線図である。
【図６】この発明の第２実施例の光ディスク記録再生装置の構成を示す図２と同様なブロック図である。
【図７】図４および図５の特性を併せて常温と高温での半導体レーザ素子に流す電流と発光パワーとの関係を示す線図である。
【図８】この発明の第３実施例の光ディスク記録再生装置の構成を示す図２と同様なブロック図である。
【符号の説明】
【００４５】
１，１０１，２０１：光ディスク記録再生装置    ２：光ディスク    ３：ケーシング    ４：スピンドルモータ（回転手段）    ５：光ピックアップ    ６：コントローラ    ７：冷却ファン（冷却手段）    ８：制御部    ９：サーボ回路    １０：ＲＦ（高周波）信号処理部    １１：記録補償部    １２：変調復調部    １５：半導体レーザ素子（レーザ素子）    ２０：パワーモニタ素子    ２１：対物レンズ
【図１】
2005093023.tif 000003
【図２】
2005093023.tif 000004
【図３】
2005093023.tif 000005
【図４】
2005093023.tif 000006
【図５】
2005093023.tif 000007
【図６】
2005093023.tif 000008
【図７】
2005093023.tif 000009
【図８】
2005093023.tif 000010